(57)【要約】ホウ酸エステル成分、アルコキシグリコール成分、および腐食抑制剤を含む添加剤パッケージを含む、アンチロックブレーキ系におけるフレーキ流体として特に有用な、低粘度機能性流体組成物。【特許請求の範囲】
【請求項１】
（ａ）組成物の全質量に基づいて３５〜７０質量％の下式を有するアルコキシグリコールホウ酸エステル成分、
［ＲＯ（ＣＨ２ＣＨ２Ｏ）ｎ］３−Ｂ
（式中、Ｒは、メチル、エチル、プロピルもしくはブチル、またはそれらの混合物であり、ｎは、本質的に２〜４であり、ｎ＝３が、ホウ酸エステル成分の全質量に基づいて９０質量％より多い。）、
（ｂ）組成物の全質量に基づいて２５〜６５質量％の下式を有するアルコキシグリコール成分
ＲＯ（ＣＨ２ＣＨ２Ｏ）ｎＨ
（式中、Ｒは、１〜８個の炭素原子を含むアルキル基またはそれらの混合物であり、ｎは、本質的に２〜４であり、ｎ＝２であるアルコキシグリコールが、アルコキシグリコール成分の全質量に基づいて１〜８８質量％で存在し、ｎ＝４であるアルコキシグリコールが、アルコキシグリコール成分の全質量に基づいて０〜２０質量％で存在する。）、および
（ｃ）組成物の全質量に基づいて０．３〜１０質量％の、腐食抑制剤を含む添加剤パッケージ
（ここで、ｎ＝２である、成分（ａ）および（ｂ）の合計は、組成物の全質量に基づいて１〜４５質量％であり、またｎ＝４である、成分（ａ）および（ｂ）の合計は、組成物の全質量に基づいて０〜１０質量％である。）
を含む、機能性流体組成物。
【請求項２】
成分（ａ）におけるｎ＝３が、９０質量％より多く、成分（ｂ）におけるｎ＝２が、１２〜８８質量％であり、また成分（ｂ）におけるｎ＝４が、０〜１０質量％であり、またｎ＝２である、成分（ａ）および（ｂ）の合計が、８〜４５質量％であり、またｎ＝４である、成分（ａ）および（ｂ）の合計が、０〜６質量％である、請求項１に記載の機能性流体組成物。
【請求項３】
少なくとも２４０℃のＥＲＢＰ、少なくとも１６５℃のＷＥＲＢＰおよび５００センチストークス未満の低温粘度を有する、請求項２に記載の機能性流体組成物。
【請求項４】
成分（ａ）におけるｎ＝３が、９５質量％より多く、成分（ｂ）におけるｎ＝２が、１〜１２質量％であり、ｎ＝４が、０〜２０質量％であり、またｎ＝２である、成分（ａ）および（ｂ）の合計が、１〜８質量％であり、またｎ＝４である、成分（ａ）および（ｂ）の合計が、０〜１０質量％である、請求項１に記載の機能性流体組成物。
【請求項５】
少なくとも２６０℃のＥＲＢＰ、少なくとも１８０℃のＷＥＲＢＰ、および７００センチストークス未満の低温粘度を有する、請求項４に記載の機能性流体組成物。
【請求項６】
成分（ａ）が、組成物の全質量に基づいて３５〜５５質量％の量で存在し、成分（ｂ）が、４０〜６５質量％の量で存在する、請求項１に記載の機能性流体組成物。
【請求項７】
成分（ａ）が、組成物の全質量に基づいて４５〜７０質量％の量で存在し、成分（ｂ）が、２５〜５０質量％の量で存在する、請求項１に記載の機能性流体組成物。
【請求項８】
成分（ｂ）が、組成物の全質量に基づいて少なくとも１質量％のヘキソキシジグリコールを含む、請求項１に記載の機能性流体組成物。
【請求項９】
請求項１〜８のいずれか一項に記載の機能性流体組成物を含むブレーキ流体。
【請求項１０】
電子的またはオートマチックアンチロックブレーキシステムと、請求項１〜８のいずれか一項に記載の機能性流体組成物を含むブレーキ流体との組み合わせ。
【発明の詳細な説明】
【０００１】
本発明は、様々な用途において、特に、低温度での十分な機能を果たすため、より低粘度流体を必要とする新規なアンチロックブレーキシステム用のブレーキ流体として有用な低粘度機能性流体に関する。
【０００２】
ホウ酸エステルに基づく機能性流体組成物は、当該技術分野においてよく知られている。ＤＯＴ４またはＤＯＴ５．１ブレーキ流体として有用であるために、これらのホウ酸エステルベースの組成物は、特に最低乾燥平衡環流沸点（ｍｉｎｉｍｕｍ ｄｒｙ ｅｑｕｉｌｉｂｒｉｕｍ ｒｅｆｌｕｘ ｂｏｉｌｉｎｇ ｐｏｉｎｔ）（ＥＲＢＰ）、最低湿潤平衡沸点（ｍｉｎｉｍｕｍ ｄｒｙ ｅｑｕｉｌｉｂｒｉｕｍ ｂｏｉｌｉｎｇ ｐｏｉｎｔ）（ＷＥＲＢＰ）および最大低温（−４０℃）粘度に関して、厳格な物理特性および性能要件を満たし、同時に、適正な耐腐食性、安定性を維持し、また他の物性要件、例えばｐＨ、リザーブアルカリ度（ｒｅｓｅｒｖｅ ａｌｋａｌｉｎｉｔｙ）、ゴム膨潤性（ｒｕｂｂｅｒ ｓｗｅｌｌ）等を満足しなければならない。連邦自動車基準１１６（Ｆｅｄｅｒａｌ Ｍｏｔｏｒ Ｖｅｈｉｃｌｅ Ｓｔａｎｄａｒｄｓ １１６）に定義されているとおり、最低ＥＲＢＰ、ＷＥＲＢＰおよび最大粘度要件は、下記表１に示される。
【０００３】
【表１】
2004514024.tif 000002
【０００４】
最近開発された電子的またはオートマチックアンチロックブレーキシステムは、表１に明らかにした性能特性に比べて、更により優れた物理的および性能特性を有する高性能ブレーキ流体に対する必要性を生み出してきた。特に、表１に示したものに比べて、かなり低い低温粘度を有し、同時に最低ＥＲＢＰおよびＷＥＲＢＰ温度要件を満たすか、または凌駕する高性能ブレーキ流体に対する強い要望がある。ＤＯＴ５．１流体に対して７００センチストークス（７．０ｃｍ２／ｓ）未満の低温粘度を有する高性能ブレーキ流体およびＤＯＴ４流体に対して５００センチストークス（５．０ｃｍ２／ｓ）未満の低温粘度を有する高性能ブレーキ流体が、これらの現在開発されたブレーキシステムに使用するために求められている。
【０００５】
ＤＯＴ４流体に対して、７００センチストークス（７．０ｃｍ２／ｓ）未満およびそれよりかなり低い低温粘度を有するホウ酸エステルベースの高性能ブレーキ流体の製造は、この産業における困難な課題であることが示されている。所望の高ＥＲＢＰおよびＷＥＲＢＰ温度を提供するために、その流体中に十分なホウ酸エステルが存在しなければならない。しかしながら、流体中の大量のホウ酸エステルは、許容限度を超えて低温粘度を上げる傾向がある。加えて、多くの従来のブレーキ流体添加物、例えばアルカノールアミン腐食抑制剤は、特に流体のｐＨ安定性を維持するために必要とされる量で、低温粘度を上げる傾向がある。以上のとおり、非常に低い粘度を有するブレーキ流体組成物が依然として求められている。
【０００６】
先行技術では、ホウ酸エステルベースのブレーキ流体の粘度を低下させ、同時に十分高い最低ＥＲＢＰおよびＷＥＲＢＰ温度を維持する様々な努力が開示されている。例えば、米国特許第４，３７１，４４８号明細書には、必須成分として十分な量のビス（エチレングリコールモノアルキルエーテル）を含むホウ酸エステルベースのブレーキ流体が開示されている。欧州特許第０７５００３３号明細書及び欧州特許第０６１７１１６号明細書には、従来の腐食抑制剤を錯合化合物および化合物の混合物で置換することにより、ホウ酸エステルベースのブレーキ流体の粘度を低下させる試みが開示されている。これらの全ての努力は、複雑で高価な成分をブレーキ流体に導入することが含むが、ホウ酸エステルベースのブレーキ流体の低温粘度を、ＤＯＴ５．１要件を他の方法で満たそうとする流体に対しては、７００センチストロークス（７．０ｃｍ２／ｓ）未満に下げ、またＤＯＴ４要件を他の方法で満たそうとする流体に対しては、５００センチストロークス（５．０ｃｍ２／ｓ）未満に下げる本出願人の目標を達成することに失敗した。
【０００７】
本発明において、出願人は、ＤＯＴ４および５．１流体の要件を満たしあるいは凌駕する十分に高度のＥＲＢＰおよびＷＥＲＢＰ温度とを有し、ＤＯＴ４および５．１流体に対して７００センチポイズ（７．０ｃｍ２／ｓ）未満、好ましくは、ＤＯＴ４流体に対して５００センチストロークス（５．０ｃｍ２／ｓ）未満の低温粘度（−４０℃）を有する組成物の幾つかの独特の組み合わせを発見した。本発明の新規な機能性流体組成物は、容易に入手可能の、安価な成分から製造でき、また特定のホウ酸エステル成分、特定のアルコキシグリコール成分および数多くの典型的添加剤パッケージを含む。
【０００８】
本発明の新規な低粘度機能性流体は、下記のものを含む。
（ａ）組成物の全質量に基づいて３５〜７０質量％の下式を有するアルコキシグリコールホウ酸エステル成分、
［ＲＯ（ＣＨ２ＣＨ２Ｏ）ｎ］３−Ｂ
（式中、Ｒは、メチル、エチル、プロピルもしくはブチル、またはそれらの混合物であり、ｎは、本質的に２〜４であり、ｎ＝３であるホウ酸エステルが、ホウ酸エステル成分の全質量に基づいて９０質量％より多い。）、
（ｂ）組成物の全質量に基づいて２５〜６５質量％の下式を有するアルコキシグリコール成分
ＲＯ（ＣＨ２ＣＨ２Ｏ）ｎＨ
（式中、Ｒは、１〜８個の炭素原子を含むアルキル基またはそれらの混合物であり、ｎは、本質的に２〜４であり、ｎ＝２であるアルコキシグリコールが、アルコキシグリコール成分の全質量に基づいて１〜８８質量％で存在し、ｎ＝４であるアルコキシグリコールが、アルコキシグリコール成分の全質量に基づいて０〜２０質量％で存在する。）、および
（ｃ）組成物の全質量に基づいて０．３〜１０質量％の、腐食抑制剤、消泡剤、ｐＨ安定剤および抗酸化剤の一種または二種以上を含む添加剤パッケージ
（ここで、ｎ＝２である、成分（ａ）および（ｂ）の合計は、組成物の全質量に基づいて１〜４５質量％であり、またｎ＝４である、成分（ａ）および（ｂ）の合計は、組成物の全質量に基づいて０〜１０質量％である。）
【０００９】
少なくとも２４０℃のＥＲＢＰ、少なくとも１６５℃のＷＥＲＢＰおよび５００センチストークス（５．０ｃｍ２／ｓ）未満の低温粘度を有する本発明の流体組成物は、成分（ａ）において、ｎ＝３が９０質量％より多く、成分（ｂ）において、ｎ＝２が１２〜８８質量％であり、またｎ＝４が０〜１０質量％であり、またｎ＝２である、成分（ａ）および（ｂ）の合計が８〜４５質量％であり、またｎ＝４である、成分（ａ）および（ｂ）の合計が０〜６質量％である場合に得られる。
【００１０】
少なくとも２６０℃のＥＲＢＰ、少なくとも１８０℃のＷＥＲＢＰおよび７００センチストークス（７．０ｃｍ２／ｓ）未満の低温粘度を有する本発明の流体組成物は、成分（ａ）において、ｎ＝３が９５％質量より多く、成分（ｂ）において、ｎ＝２が１〜１２質量％であり、ｎ＝４が０〜２０％であり、またｎ＝２である、成分（ａ）および（ｂ）の合計が１〜８質量％であり、またｎ＝４である、成分（ａ）および（ｂ）の合計が０〜１０質量％である場合に得られる。
【００１１】
成分（ａ）において、ｎ＝３であるアルコキシグリコールホウ酸エステル成分の量は、好ましくは９５質量％以上であり、またより好ましくは９６質量％以上である。成分（ａ）において、ｎ＝２であるアルコキシグリコールホウ酸エステル成分の量は、好ましくは０．５質量％以上であり、またより好ましくは１．０質量％以上である。成分（ａ）において、Ｒは、好ましくはメチル、エチル、またはそれらの混合物であり、また最も好ましくはメチルである。
【００１２】
成分（ｂ）において、ｎ＝２であるグリコールエーテルの量は、好ましくは１質量％以上であり、より好ましくは２質量％以上である。
【００１３】
好ましくは、成分（ｂ）中に存在するｎ＝２であるグリコールエーテルの量は、６５質量％未満であり、より好ましくは４０質量％またはそれ未満である。成分（ｂ）において、ｎ＝４であるグリコールエーテルの量は、０．５質量％以上、およびより好ましくは１質量％以上である。成分（ｂ）において、ｎ＝４であるグリコールエーテルの量は、１２質量％以下、およびより好ましくは１０質量％以下である。成分（ａ）および（ｂ）において、ｎ＝２である、ホウ酸エステルおよびグリコールエーテルの量が、０．５質量％以上であり、より好ましくは１質量％以上であり、最も好ましくは２質量％以上である。成分（ａ）および（ｂ）において、ｎ＝２である、ホウ酸エステルおよびグリコールエーテルの量が、好ましくは４５質量％以下であり、より好ましくは３５質量％以下であり、最も好ましくは２５質量％以下である。成分（ａ）および（ｂ）において、ｎ＝４である、ホウ酸エステルおよびグリコールエーテルの量が、好ましくは０．５質量％以上である。成分（ａ）および（ｂ）において、ｎ＝４である、ホウ酸エステルおよびグリコールエーテルの量が、８質量％以下であり、またより好ましくは７質量％以下である。
【００１４】
本発明の機能性流体組成物の成分（ａ）は、下式
［ＲＯ（ＣＨ２ＣＨ２Ｏ）ｎ］３−Ｂ
（式中、Ｒは、メチル、エチル、プロピルまたはブチル、またはそれらの混合物であり、ｎは、本質的に２〜４であり、ｎ＝３であるホウ酸エステル成分が、ホウ酸エステル成分の全質量に基づいて９０質量％より多い。）
で表されるアルコキシグリコールホウ酸エステルである。ホウ酸エステルおよびその製造方法は、この技術分野でよく知られている。本発明の機能性流体組成物において有用であるホウ酸エステルは、ホウ酸と、典型的にはアルコキシトリエチレングリコール種の少なくとも９０質量％、好ましくは９５質量％を含むアルコキシグリコールの選択的混合物である適切なアルコキシグリコール成分とを反応させることにより製造できる。
【００１５】
有用なホウ酸エステルの例には、メトキシトリエチレングリコールホウ酸エステル、エチルトリエチレングリコールホウ酸エステル、ブチルトリエチレングリコールホウ酸エステルおよびこれらの混合物を含む。特に、ＤＯＴ４流体を製造するとき、９０％より多いメトキシトリエチレングリコールホウ酸エステルを含むホウ酸エステル成分と、そしてＤＯＴ５．１流体を製造するとき９５％より多いメトキシトリエチレングリコールホウ酸エステルを含むホウ酸エステル成分とにより良い結果が得られる。成分（ａ）は、典型的に、全組成物の質量に基づいて、３５〜７０質量％の量で機能性流体組成物中に存在する。
【００１６】
本発明の機能性流体組成物の成分（ｂ）は、下式
ＲＯ（ＣＨ２ＣＨ２Ｏ）ｎＨ
（式中、Ｒは、１〜８個の炭素原子を含むアルキル基またはそれらの混合物であり、ｎは、本質的に２〜４であり、ｎ＝２であるアルコキシグリコールが、アルコキシグリコール成分の全質量に基づいて１〜８８質量％で存在し、ｎ＝４であるアルコキシグリコールが、アルコキシグリコール成分の全質量に基づいて０〜２０質量％で存在する。）、
を有するアルコキシグリコールをその組成物の全質量に基づいて２５〜６５質量％含む。有用なアルコキシグリコールの例には、メトキシトリグリコール、メトキシジグリコール、メトキシテトラグリコール、エトキシトリグリコール、エトキシジグリコール、エトキシテトラグリコール、プロポキシトリグリコール、ブトキシトリグリコール、ブトキシジグリコール、ブトキシテトラグリコール、ペントキシジグリコール、ペントキシトリグリコール、２−エチルヘキシルグリコールおよびこれらの混合物が含まれる。特に、メトキシトリグリコール、メトキシジグリコール、エトキシトリグリコール、ブトキシジグリコール、ブトキシトリグリコール、ヘキソキシジグリコールおよびこれらの混合物を使用すると良い結果が得られる。
【００１７】
本出願人は、アルコキシ基が１〜５個の炭素原子を含むアルコキシジグリコールが、機能性流体組成物の粘度を低下させるのに有用であることを発見した。しかしながら、そのようなより低級アルコキシジグリコールが、本発明のＤＯＴ４流体中で４５質量％を超えて存在し、または本発明のＤＯＴ５．１流体中で８質量％を超えて存在する場合、ＥＲＢＰおよびＷＥＲＢＰは受容不可能のレベルに低下させられうる。より高級なアルコキシジグリコール、つまりアルコキシ基が５〜８個の炭素原子を含むものは、ＥＲＢＰまたはＷＥＲＢＰに深刻な悪影響を及ぼさないで１０質量％まで、あるいはそれ以上の量で、機能性流体組成物中に許容され得る。これらの量で存在する場合、これらのより高級なアルコキシジグリコールは、有利なゴム膨潤特性を提供できることが発見された。
【００１８】
本発明の機能性流体組成物の成分（ｃ）は、腐食抑制剤（ｃｏｒｒｏｓｉｏｎ ｉｎｈｉｂｉｔｏｒ）を含む添加剤パッケージの組成物の全質量に基づいて０．３〜１０質量％を含む。この技術分野において公知である種々の従来の添加剤が、本発明の機能性流体組成物において有利に使用可能である。これらの添加剤には、例えば、腐食抑制剤、安定剤、例えばｐＨ安定剤、および抗酸化剤が含まれる。
【００１９】
本発明の機能性流体組成物を調整するに当って、有効な腐食抑制剤の選択は、特に重要である。多くの従来の腐食抑制剤、例えばアルカノールアミンまたはアルキルアミンおよび他の有機アミンは、ホウ酸エステルベースの機能性流体組成物の低温粘度を増大させて、欧州特許第０７５００３３号明細書（ＥＰ０７５００３３）および欧州特許第０６１７１１６号明細書（ＥＰ０６１７１１６）に開示されたように、より複雑で高価な添加剤の使用が必要となる。本出願人の機能性流体組成物の利点は、従来の腐食抑制剤、例えばアルカノールアミンの使用を可能として、さらにこれまで知られたものより低い粘度を得ることができることである。他の利点は、従来の抑制剤および添加剤をより多くの量使用可能にすることであり、それは、許容可能の低粘度を維持しつつ、向上した安定性と腐食抵抗性を得るのに望ましい。
【００２０】
本発明の機能性流体組成物中に使用することのできる従来の腐食抑制剤の実施例クラスには、脂肪酸、例えばラウリン酸、パルミチン酸、ステアリン酸またはオレイン酸、亜リン酸またはリン酸と脂肪族アルコールとのエステル、ホスファイト、例えばエチルホスファイト、ジメチルホスファイト、イソプロピルホスファイト、ブチルホスファイト、トリフェニルホスファイトおよびイソプロピルホスファイト、窒素含有へテロ環式化合物、例えばベンゾトリアゾールまたはその誘導体、それらの化合物と１，２，４−トリアゾールおよびその誘導体との混合物が含まれる（米国特許６，９７４，９９２第号明細書参照）。腐食抑制剤として有用な他のアミン化合物には、アルキルアミン、例えばジｎ−ブチルアミンおよびジｎ−アミルアミン、シクロヘキシルアミンおよびそれらの塩が含まれる。本発明の機能性流体組成物中で腐食抑制剤として特に有用であるアミン化合物には、アルカノールアミン、好ましくは各アルカノール基が１〜６個の炭素原子を含む、１〜３個のアルカノール基を有するアルカノールアミンが含まれる。有用なアルカノールアミンの例として、モノ−、ジ−、およびトリメタノールアミン、モノ−、ジ−、およびトリエタノールアミン、モノ−、ジ−、およびトリプロパノールアミン、モノ−、ジ−、およびトリイソプロパノールアミンが含まれる。容易に入手可能で、安価なジイソプロパノールアミンを用いて、本発明の機能性流体組成物により良好な結果が得られた。
【００２１】
本発明の機能性流体組成物において使用される腐食抑制剤の量は、組成物の質量に基づいて０．３〜１０質量％、好ましくは１〜３質量％の範囲である。
【００２２】
本発明の機能性流体は、又有利には、１つ以上の腐食抑制剤に加えて、他の添加化合物、例えば消泡剤、ｐＨ安定剤、抗酸化剤、機能性流体組成物の性能を向上させるのに熟練の製造業者にとって公知の全てのものを含むことができる。そのような他の添加剤は、腐食抑制剤と組み合わせて、通常、機能性流体組成物の全質量に基づいて、０．３〜１０．０質量％の量で存在する。
【００２３】
ＥＲＢＰまたはＷＥＲＢＰ温度を受容可能のレベル以下に低下させないように、また低温粘度を許容レベル以上に増加させないように配慮されるかぎり、本発明の機能性流体組成物に他の材料を調合することが意図される。例えば、本発明の機能性流体組成物は、その機能性流体の全質量に基づいて、０〜２０質量％の希釈剤または潤滑剤、例えばポリエチレンオキシド、ポリプロピレンオキシド、ポリ（アルキレンオキシド）ジアルコキシグリコール、またはボーレートコ−エステルを含むことができる。
【００２４】
本発明の教示は、より低い粘度を得るために、調合される他の流体に適用できる、例えば、米国特許第４，３７１，４４８号明細書、欧州特許第０７５００３３号明細書および欧州特許第０６１７１１６号明細書に開示された流体に、許容最低限度のＥＲＢＰおよびＷＥＲＢＰ温度を保ちながら、より低い粘度を得るために適用できることも意図される。
【００２５】
実施例
限定することを意図していない以下の実施例により、本発明の機能性流体組成物およびその好ましい実施態様について説明する。
【００２６】
以下の実施例において機能性流体組成物を製造するために使用した純粋のメトキシトリエチレングリコールホウ酸エステル（ＭＴＧＢＥ）は、成分（ａ）の検討において上記した式により表される高度選択性エステルであり、ｎ＝３の種を９８％で、ｎ＝２の種を２％含有していた。下記の実施例の機能性流体を製造するのに使用されたＭＴＧＢＥは、メトキシトリエチレングリコール中、純粋ホウ酸エステル８７質量％として導入された。
【００２７】
下記の実施例において機能性流体を製造するに使用されたホウ酸エステルおよび種々の成分は、下記のように特定される。
【００２８】
【表２】
2004514024.tif 000003
【００２９】
ＥＲＢＰ、ＷＥＲＢＰ及び−４０℃粘度は、運輸省（Ｄｅｐａｒｔｍｅｎｔ ｏｆ Ｔｒａｎｓｐｏｒｔａｔｉｏｎ）ＦＭＶＳＳ１１６に記載された試験手順により決定される。
【００３０】
存在する各成分の量に関して下記の表中に示された数字は、流体組成物の全質量に基づいて質量％で示されている。グリコールエーテル中に存在するｎ＝２の種およびｎ＝４の種の量に関する数字は、存在する全グリコールエーテルの全質量に基づいて、質量％で示されている。流体組成物中に存在するｎ＝２の種およびｎ＝４の種の量に関する数字は、流体組成物の全質量に基づいて、質量％で示されている。
【００３１】
実施例１〜５
表２に示す組成を有する５種の機能性流体が製造された。これらの実施例により、本発明の機能性流体組成物がＤＯＴ４ブレーキ流体のＥＲＢＰおよびＷＥＲＢＰ最小温度要件に適合し、同時に７００センチストローク（７．０ｃｍ２／ｓ）未満の−４０℃粘度を有することが明らかである。実施例１および２は、流体組成物が５００センチストローク（５．０ｃｍ２／ｓ）未満の低温粘度を有することを明らかしている。
【００３２】
【表３】
2004514024.tif 000004
【００３３】
ＥＲＢＰ、ＷＥＲＢＰおよび−４０℃粘度は、実施例１〜５の流体組成物に対して測定され、表３に示されている。
【００３４】
【表４】
2004514024.tif 000005
【００３５】
表３から明らかなとおり、実施例１および２の流体組成物は、ＤＯＴ４流体のＥＲＢＰおよびＷＥＲＢＰ最小温度要件に適合し、また５００センチストローク（５．０ｃｍ２／ｓ）未満の低温粘度を有する。
【００３６】
実施例６〜９
表４に示す組成を有する５種の機能性流体が製造された。実施例６、７および８は、本発明の機能性流体組成物がＤＯＴ５．１ブレーキ流体のＥＲＢＰおよびＷＥＲＢＰ最小温度要件に適合し、同時に７００センチストローク（７．０ｃｍ２／ｓ）未満の−４０℃粘度を有することを明らかにした。実施例９は、この粘度要件を満たさない流体組成物を示した。
【００３７】
【表５】
2004514024.tif 000006
【００３８】
ＥＲＢＰ、ＷＥＲＢＰおよび−４０℃粘度が実施例６〜９の流体組成物に対して測定され、表５に示されている。
【００３９】
【表６】
2004514024.tif 000007
【００４０】
表５から明らかなように、実施例６、７および８の流体組成物は、ＤＯＴ５．１流体のＥＲＢＰおよびＷＥＲＢＰ最小温度要件に適合し、同時に７００センチストローク（７．０ｃｍ２／ｓ）の最大低温粘度要件を満たした。実施例９は、この粘度目標を満たすのに失敗した。
【００４１】
実施例１、６および７の流体組成物が運輸省（Ｄｅｐａｒｔｍｅｎｔ ｏｆ Ｔｒａｎｓｐｏｒｔａｔｉｏｎ ）ＦＭＶＳＳ　１１６に記載された手順により腐食抵抗性およびボム膨潤性を試験するために選択された。ゴム膨潤性テストが１７０℃で７２時間実施された。その結果を表６に示す。
【００４２】
【表７】
2004514024.tif 000008
【国際公開パンフレット】
2004514024.tif 000009
2004514024.tif 000010
2004514024.tif 000011
2004514024.tif 000012
2004514024.tif 000013
2004514024.tif 000014
2004514024.tif 000015
2004514024.tif 000016
2004514024.tif 000017
2004514024.tif 000018
2004514024.tif 000019
2004514024.tif 000020
2004514024.tif 000021
2004514024.tif 000022
2004514024.tif 000023
2004514024.tif 000024
2004514024.tif 000025
【手続補正書】
【提出日】平成14年11月15日(2002.11.15)
【手続補正１】
【補正対象書類名】明細書
【補正対象項目名】特許請求の範囲
【補正方法】変更
【補正の内容】
【特許請求の範囲】
【請求項１】
（ａ）組成物の全質量に基づいて３５〜７０質量％の下式を有するアルコキシグリコールホウ酸エステル成分、
［ＲＯ（ＣＨ２ＣＨ２Ｏ）ｎ］３−Ｂ
（式中、Ｒは、メチル、エチル、プロピルもしくはブチル、またはそれらの混合物であり、ｎは、本質的に２〜４であり、ｎ＝３が、ホウ酸エステル成分の全質量に基づいて９０質量％より多い。）、
（ｂ）組成物の全質量に基づいて２５〜６５質量％の下式を有するアルコキシグリコール成分
ＲＯ（ＣＨ２ＣＨ２Ｏ）ｎＨ
（式中、Ｒは、１〜８個の炭素原子を含むアルキル基またはそれらの混合物であり、ｎは、本質的に２〜４であり、ｎ＝２であるアルコキシグリコールが、アルコキシグリコール成分の全質量に基づいて１〜８８質量％で存在し、ｎ＝４であるアルコキシグリコールが、アルコキシグリコール成分の全質量に基づいて０〜２０質量％で存在する。）、および
（ｃ）組成物の全質量に基づいて０．３〜１０質量％の、腐食抑制剤、消泡剤、ｐＨ安定剤または抗酸化剤の一種または２種以上を含む添加剤パッケージ
（ここで、ｎ＝２である、成分（ａ）および（ｂ）の合計は、組成物の全質量に基づいて１〜４５質量％であり、またｎ＝４である、成分（ａ）および（ｂ）の合計は、組成物の全質量に基づいて０〜１０質量％である。）
を含む、機能性流体組成物。
【請求項２】
成分（ａ）におけるｎ＝３が、９０質量％より多く、成分（ｂ）におけるｎ＝２が、１２〜８８質量％であり、また成分（ｂ）におけるｎ＝４が、０〜１０質量％であり、またｎ＝２である、成分（ａ）および（ｂ）の合計が、８〜４５質量％であり、またｎ＝４である、成分（ａ）および（ｂ）の合計が、０〜６質量％である、請求項１に記載の機能性流体組成物。
【請求項３】
少なくとも２４０℃の乾燥平衡沸点、少なくとも１６５℃の湿潤平衡沸点および５００センチストークス未満の低温粘度を有する、請求項２に記載の機能性流体組成物。
【請求項４】
成分（ａ）におけるｎ＝３が、９５質量％より多く、成分（ｂ）におけるｎ＝２が、１〜１２質量％であり、ｎ＝４が、０〜２０質量％であり、またｎ＝２である、成分（ａ）および（ｂ）の合計が、１〜８質量％であり、またｎ＝４である、成分（ａ）および（ｂ）の合計が、０〜１０質量％である、請求項１に記載の機能性流体組成物。
【請求項５】
少なくとも２６０℃の乾燥平衡沸点、少なくとも１８０℃の湿潤平衡沸点、および７００センチストークス未満の低温粘度を有する、請求項４に記載の機能性流体組成物。
【請求項６】
成分（ａ）が、組成物の全質量に基づいて３５〜５５質量％の量で存在し、成分（ｂ）が、４０〜６５質量％の量で存在する、請求項１に記載の機能性流体組成物。
【請求項７】
成分（ａ）が、組成物の全質量に基づいて４５〜７０質量％の量で存在し、成分（ｂ）が、２５〜５０質量％の量で存在する、請求項１に記載の機能性流体組成物。
【請求項８】
成分（ｂ）が、組成物の全質量に基づいて少なくとも１質量％のヘキソキシジグリコールを含む、請求項１に記載の機能性流体組成物。
【請求項９】
請求項１〜８のいずれか一項に記載の機能性流体組成物を含むブレーキ流体。
【請求項１０】
電子的またはオートマチックアンチロックブレーキシステムと、請求項１〜８のいずれか一項に記載の機能性流体組成物を含むブレーキ流体との組み合わせ。
【国際調査報告】
2004514024.tif 000026
2004514024.tif 000027
2004514024.tif 000028
2004514024.tif 000029